(57)【要約】      （修正有）【課題】フックの引っ掛けおよび取り外しを繰り返しても容易に壊れない墜落防止用安全帯のストラップ巻取り器を提供する。【解決手段】実質上コ字状断面を有するフレームと、フレームの内側空間内に回転可能に配置されたストラップ巻取りドラム３を備える。フレームに取り付けられ、ストラップ４のフックを吊り下げ状態に係止し得るフック係止部材６と、フレームに設けられ、墜落防止用安全帯の胴ベルトに連結するための連結金具７を備える。フック係止部材は、ストラップ巻取り器が連結金具によって胴ベルトに連結された状態でストラップ巻取りドラムの回転軸２の方向に見たときに、上向きに開いた鉤状断面を有する第１の係止部６ａ、６ｂと、回転軸に直角な方向に見たときに、上向きに開いた鉤状断面を有する第２の係止部６ｄ、６ｅを有する。【選択図】図１
0003145096.tif 000002
【実用新案登録請求の範囲】
【請求項１】
先端にフックを有するストラップを備えた墜落防止用安全帯のストラップ巻取り器であって、
間隔をあけて対置された一対の側板、および前記一対の側板の少なくとも一方の側縁同士を連結する連結部材からなる実質上コ字状またはロ字状断面を有するフレームと、
前記フレームの内側空間内に配置され、前記一対の側板の間に取り付けられて回転軸のまわりに回転可能とされたストラップ巻取りドラムと、を備え、前記ストラップ巻取りドラムには、ストラップの一端が固定されるとともに前記ストラップが巻装され、前記ストラップの先端には前記フックが取り付けられており、さらに、
前記フレームに取り付けられ、前記フックを吊り下げ状態に係止し得るフック係止部材と、
前記フレームに設けられ、前記墜落防止用安全帯の胴ベルトに連結するための連結金具と、を備え、前記フック係止部材は、前記ストラップ巻取り器が前記連結金具によって前記胴ベルトに連結された状態で前記ストラップ巻取りドラムの回転軸の方向に見たときに、上向きに開いた鉤状断面を有する第１の係止部と、前記回転軸に直角な方向に見たときに、上向きに開いた鉤状断面を有する第２の係止部とを有していることを特徴とするストラップ巻取り器。
【請求項２】
前記フック係止部材の前記第１および第２の係止部は、一体形成されていることを特徴とする請求項１に記載のストラップ巻取り器。
【請求項３】
前記フック係止部材の前記第１の係止部は、一対の鉤状に曲げられた脚部分と、それらの脚部分の一端同士を接続する接続部分とからなり、前記脚部分のそれぞれの他端には拡張部が設けられ、前記第２の係止部は、前記第１の係止部の一方の脚部分の拡張部に突設された一対の鉤状に曲げられた第２の脚部分と、前記第２の脚部分の先端同士を接続する第２の接続部分とからなり、前記第１の係止部の脚部分の拡張部が前記フレームの一対の側板にそれぞれ取り付けられることを特徴とする請求項２に記載のストラップ巻取り器。
【請求項４】
先端にフックを有するストラップを備えた墜落防止用安全帯のストラップ巻取り器であって、
間隔をあけて対置された一対の側板、および前記一対の側板の少なくとも一方の側縁同士を連結する連結部材からなる実質上コ字状またはロ字状断面を有するフレームと、
前記フレームの内側空間内に配置され、前記一対の側板の間に取り付けられて回転軸のまわりに回転可能とされたストラップ巻取りドラムと、を備え、前記ストラップ巻取りドラムには、ストラップの一端が固定されるとともに前記ストラップが巻装され、前記ストラップの先端には前記フックが取り付けられており、さらに、
前記フレームに取り付けられ、前記フックを吊り下げ状態に係止し得るフック係止部材と、
前記フレームに設けられ、前記墜落防止用安全帯の胴ベルトに連結するための連結金具と、を備え、前記フック係止部材は、前記ストラップ巻取り器が前記連結金具によって前記胴ベルトに連結された状態で前記ストラップ巻取りドラムの回転軸に直角な方向に見たときに、上向きに開いた鉤状断面を有していることを特徴とするストラップ巻取り器。
【請求項５】
前記フック係止部材は、鉤状断面を有する板状の係止部材本体と、前記係止部材本体の一端側に設けられた取付部とからなり、前記取付部が前記フレームに取り付けられることを特徴とする請求項４に記載のストラップ巻取り器。
【請求項６】
前記フック係止部材は、一対の鉤状に曲げられた脚部分と、それらの脚部分の一端同士を接続する接続部分とからなり、前記一対の脚部分の他端側が前記フレームの一対の側板にそれぞれ取り付けられることを特徴とする請求項４に記載のストラップ巻取り器。
【請求項７】
前記連結金具は前記フレームに連結されており、前記フック係止部材は、前記連結金具および前記フレームの連結部に取り付けられていることを特徴とする請求項１〜請求項６のいずれかに記載のストラップ巻取り器。
【請求項８】
前記ストラップ巻取りドラムを前記フレームの一部とともに収容し、前記フレームに支持、固定されたケーシングをさらに備え、前記ケーシングにはストラップ出入口が形成され、前記フレームの前記ケーシングから突出する部分に、前記フック係止部材および前記連結金具が取り付けられることを特徴とする請求項１〜請求項７のいずれかに記載のストラップ巻取り器。
【考案の詳細な説明】
【技術分野】
【０００１】
本考案は、先端にフックを有するストラップを備えた墜落防止用安全帯のストラップ巻取り器に関するものである。
【背景技術】
【０００２】
墜落防止用安全帯は、命綱として、先端にフックを有するストラップを備えており、胴ベルトにストラップ巻取り器が取り付けられている。そして、胴ベルトが作業者に装着され、フックが適当な固定物に係止されることにより、高所作業現場において万一作業者が墜落した場合に、作業者の安全が確保されるようになっている。
【０００３】
ところで、ストラップは、通常アラミド繊維等の高強度繊維から形成されており、伸縮率が非常に小さい。このため、墜落時に作業者が受ける衝撃を緩和するために、フックとストラップとの連結部にショックアブソーバが挿入されている。
そして、フックを使用しないときは、胴ベルトに取り付けられたフック掛けにフックを掛けておくようになっていた。
【０００４】
しかし、この構成では、フックおよびショックアブソーバは大きな寸法を有し、嵩張るので、フックを使用しないときに、胴ベルトの長手方向に大きなスペースが占有されてしまい、そのため、胴ベルトに巻尺や工具袋等を取り付けるためのスペースがあまり取れないという問題があった。
【０００５】
この不都合を解消すべく、従来、ストラップ巻取り器のケースにフックの掛け部を設けるとともに、掛け部が胴ベルトの長手方向に関してケース両端とならないようにしたものが提案されている（特許文献１参照）。この構成によれば、胴ベルト上に、ストラップ巻取り器の取り付けスペースとは別にフックを保持するスペースを確保する必要はなくなる。しかしその一方で、ケースは通常プラスチック製であり、ストラップ巻取り器の金属製のフレーム等と比べると強度面で劣り、また経年劣化もし易く、そのため、フックをフック掛け部に引っ掛け、またそれから取り外すことを頻繁に繰り返すと、ケースが割れてストラップ巻取り器が容易に壊れてしまうおそれがあった。
【０００６】
【特許文献１】特開２００７−１６７１２０号公報
【考案の開示】
【考案が解決しようとする課題】
【０００７】
したがって、本考案の課題は、フックの引っ掛けおよび取り外しを繰り返しても容易に壊れない墜落防止用安全帯のストラップ巻取り器を提供することにある。
【課題を解決するための手段】
【０００８】
上記課題を解決するため、第１の考案は、先端にフックを有するストラップを備えた墜落防止用安全帯のストラップ巻取り器であって、間隔をあけて対置された一対の側板、および前記一対の側板の少なくとも一方の側縁同士を連結する連結部材からなる実質上コ字状またはロ字状断面を有するフレームと、前記フレームの内側空間内に配置され、前記一対の側板の間に取り付けられて回転軸のまわりに回転可能とされたストラップ巻取りドラムと、を備え、前記ストラップ巻取りドラムには、ストラップの一端が固定されるとともに前記ストラップが巻装され、前記ストラップの先端には前記フックが取り付けられており、さらに、前記フレームに取り付けられ、前記フックを吊り下げ状態に係止し得るフック係止部材と、前記フレームに設けられ、前記墜落防止用安全帯の胴ベルトに連結するための連結金具と、を備え、前記フック係止部材は、前記ストラップ巻取り器が前記連結金具によって前記胴ベルトに連結された状態で前記ストラップ巻取りドラムの回転軸の方向に見たときに、上向きに開いた鉤状断面を有する第１の係止部と、前記回転軸に直角な方向に見たときに、上向きに開いた鉤状断面を有する第２の係止部とを有していることを特徴とするストラップ巻取り器を構成したものである。
【０００９】
第１の考案の構成において、好ましくは、前記フック係止部材の前記第１および第２の係止部は、一体形成されている。さらに、前記フック係止部材の前記第１の係止部は、一対の鉤状に曲げられた脚部分と、それらの脚部分の一端同士を接続する接続部分とからなり、前記脚部分のそれぞれの他端には拡張部が設けられ、前記第２の係止部は、前記第１の係止部の一方の脚部分の拡張部に突設された一対の鉤状に曲げられた第２の脚部分と、前記第２の脚部分の先端同士を接続する第２の接続部分とからなり、前記第１の係止部の脚部分の拡張部が前記フレームの一対の側板にそれぞれ取り付けられることが好ましい。
【００１０】
上記課題を解決するため、また、第２の考案は、先端にフックを有するストラップを備えた墜落防止用安全帯のストラップ巻取り器であって、間隔をあけて対置された一対の側板、および前記一対の側板の少なくとも一方の側縁同士を連結する連結部材からなる実質上コ字状またはロ字状断面を有するフレームと、前記フレームの内側空間内に配置され、前記一対の側板の間に取り付けられて回転軸のまわりに回転可能とされたストラップ巻取りドラムと、を備え、前記ストラップ巻取りドラムには、ストラップの一端が固定されるとともに前記ストラップが巻装され、前記ストラップの先端には前記フックが取り付けられており、さらに、前記フレームに取り付けられ、前記フレームから突出して前記フックを吊り下げ状態に係止し得るフック係止部材と、前記フレームに設けられ、前記墜落防止用安全帯の胴ベルトに連結するための連結金具と、を備え、前記フック係止部材は、前記ストラップ巻取り器が前記連結金具によって前記胴ベルトに連結された状態で前記ストラップ巻取りドラムの回転軸に直角な方向に見たときに、上向きに開いた鉤状断面を有していることを特徴とするストラップ巻取り器を構成したものである。
【００１１】
第２の考案の構成において、好ましくは、前記フック係止部材は、鉤状断面を有する板状の係止部材本体と、前記係止部材本体の一端側に設けられた取付部とからなり、前記取付部が前記フレームに取り付けられ、あるいは、前記フック係止部材は、一対の鉤状に曲げられた脚部分と、それらの脚部分の一端同士を接続する接続部分とからなり、前記一対の脚部分の他端側が前記フレームの一対の側板にそれぞれ取り付けられる。
【００１２】
第１および第２の考案の構成において、前記連結金具は前記フレームに連結されており、前記フック係止部材は、前記連結金具および前記フレームの連結部に取り付けられていることが好ましい。
また、前記ストラップ巻取りドラムを前記フレームの一部とともに収容し、前記フレームに支持、固定されたケーシングをさらに備え、前記ケーシングにはストラップ出入口が形成され、前記フレームの前記ケーシングから突出する部分に、前記フック係止部材および前記連結金具が取り付けられることが好ましい。
【考案の効果】
【００１３】
本考案によれば、フック係止部材をストラップ巻取り器のフレームに取り付け、ストラップのフックを、このフック係止部材に引っ掛けまたはこれから取り外すようにした。ストラップ巻取り器のフレームは、通常、金属製であり、しかも、ストラップ巻取り器の主要部であるから、他の構成部分と比べて、剛性（強度）も高い。したがって、フックの引っ掛けおよび取り外しが頻繁に繰り返されても、ストラップ巻取り器は殆ど損傷を受けることがない。
【考案を実施するための最良の形態】
【００１４】
以下、添付図面を参照して本考案の好ましい実施例について説明する。図１は、本考案の１実施例による墜落防止用安全帯のストラップ巻取り器の分解斜視図であり、（Ａ）は正面図であり、（Ｂ）は側面図である。また、図３は、本考案によるストラップ巻取り器が、墜落防止用安全帯の胴ベルトに連結され、作業者に装着された状態を示す図である。
【００１５】
図１および図２を参照して、本考案のストラップ巻取り器は、間隔をあけて対置された一対の側板１ａ、１ｂ、および一対の側板１ａ、１ｂの一方の側縁同士を連結する連結部材１ｃからなる実質上コ字状断面を有するフレーム１と、フレーム１の内側空間内に配置され、一対の側板１ａ、１ｂの間に取り付けられて回転軸２のまわりに回転可能とされたストラップ巻取りドラム３を備えている。ストラップ巻取りドラム３には、ストラップ４の一端が固定されるとともにストラップ４が巻装され、ストラップ４の先端にはショックアブソーバ１５を介してフック５が取り付けられている。
【００１６】
一方の側板１ｂの外側には、ストラップ巻取りドラム３に対応する位置に、円形の基板９および円形の前面カバー１１がネジ１３によって取り付けられている。この場合、基板９の中心には、回転軸２が貫通する開口が設けられ、さらに、基板９および前面カバー１１の間には渦巻きバネ１０が収容され、渦巻きバネ１０の一端は回転軸２に、他端は前面カバー１１に固定されている。こうして、ストラップ巻取りドラム３は、渦巻きバネ１０によって、常時、ストラップ４を巻き取る向きに弾性付勢される。
また、他方の側板１ａの外側には、前面カバー１１に対応する位置に円形の後面カバー１２がネジ１４によって取り付けられている。
【００１７】
この実施例では、フレーム１の側板１ａ、１ｂの外側のみがカバー１１、１２によって被覆され、側板１ａ、１ｂ間の空間は露出するようになっているが、ストラップ巻取りドラム３をフレーム１の一部とともに収容し、フレーム１に支持、固定されたケーシングを設け、ケーシングにストラップ出入口を形成するようにしてもよい。
【００１８】
ストラップ巻取り器は、さらに、フレーム１に取り付けられ、フック５を吊り下げ状態に係止し得るフック係止部材６と、フレーム１に設けられ、墜落防止用安全帯の胴ベルトに連結するための連結金具７を備えている。
フック係止部材６は、この実施例では、図１に示すように、一対の鉤状に曲げられた脚部分６ａ、６ａ、並びに、それらの脚部分６ａ、６ａの一端同士を接続する接続部分６ｂからなる第１の係止部を有している。脚部分６ａ、６ａのそれぞれの他端には、中央に貫通穴６ｆ、６ｆを備えた拡張部６ｃ、６ｃが設けられる。さらに、フック係止部材６は、第１の係止部の一方の脚部分６ａの拡張部６ｃの他端に突設された一対の鉤状に曲げられた第２の脚部分６ｄ、６ｄ、並びに、第２の脚部分６ｄ、６ｄの先端同士を接続する第２の接続部分６ｅからなる第２の係止部を有している。
【００１９】
こうして、図１に示すように、連結金具７がフレーム１の一対の側板１ａ、１ｂの間に挿入されるとともに、フック係止部材６の一対の拡張部６ｃ、６ｃがそれぞれ一対の側板１ａ、１ｂの外側に位置し、かつ側板１ａ、１ｂの貫通穴１ｄ、１ｄとフック係止部材６の貫通穴６ｆ、６ｆが整合するように配置され、連結金具７およびフック係止部材６が、連結ピン８によってフレーム１に連結される。そして、図３に示すように、ストラップ巻取り器が連結金具７によって胴ベルト１６のＤ環１７に連結された状態で、フック係止部材６の第１の係止部が、ストラップ巻取りドラム３の回転軸２の方向に見たとき、上向きに開いた鉤状断面を有するとともに、第２の係止部が、ストラップ巻取りドラム３の回転軸２に垂直な方向に見たとき、上向きに開いた鉤状断面を有するようになっている。
【００２０】
この実施例では、フック係止部材６の第１および第２の係止部は一体形成されるが、これらは一体形成されていなくてもよく、フック係止部材６は、ストラップ巻取り器が連結金具７によって胴ベルト１６に連結された状態でストラップ巻取りドラム３の回転軸２の方向に見たときに、上向きに開いた鉤状断面を有する第１の係止部と、回転軸２に直角な方向に見たときに、上向きに開いた鉤状断面を有する第２の係止部とを有してさえおれば、どのような構成であってもよい。
また、この実施例ではフック係止部材６の断面はＵ字状またはＬ字状であるが、フック係止部材６の断面形状を任意の鉤状に湾曲または屈曲した形状とすることができる。
【００２１】
本考案によるストラップ巻取り器は、図３に示すように、連結金具７によって、墜落防止用安全帯の胴ベルト１６のＤ環１７に連結される。そして、フック５を使用しない場合には、フック５を、ストラップ巻取り器のフック係止部材６の第１または第２の係止部に選択的に掛けることができる。それによって、作業者の胴ベルト１６に、工具袋１８や巻尺１９を備え付けるためのスペースを十分に確保できる。
また、ストラップ巻取り器のフレーム１は、通常、金属製であり、しかも、ストラップ巻取り器の主要部をなすものであるから、他の構成部分と比べて剛性（強度）も高い。そして、本考案によれば、フック係止部材６をこのフレーム１に取り付けたので、フック５の引っ掛けおよび取り外しが頻繁に繰り返されても、ストラップ巻取り器が容易に壊れてしまうことがない。
【００２２】
図４は、本考案の別の実施例による墜落防止用安全帯のストラップ巻取り器を示す図であり、（Ａ）は正面図であり、（Ｂ）は側面図であり、（Ｃ）はフック係止部材の斜視図である。この実施例は、図１〜図３に示した実施例と、フック係止部材の構成、並びにカバーの構成が異なるだけである。よって、図４中、図１〜図３に示したものと同一の構成要素には同一番号を付して詳細な説明を省略する。
【００２３】
この実施例では、フック係止部材６’は、図４（Ｃ）に示すように、鉤状断面を有する板状の係止部材本体６’ａと、係止部材本体６’ａの一端側に設けられた取付部６’ｂとからなっている。取付部６’ｂは細長い板状に形成され、係止部本体６’ａからのびて先端部が円筒状に曲げられて、フック係止部材６’をフレーム１に連結するための連結ピンが通される貫通穴６’ｃが形成されている。
【００２４】
図４（Ａ）、（Ｂ）に示すように、この実施例では、フック係止部材６’がフレーム１に連結、固定された状態で、係止部本体６’ａは、ストラップ巻取り器の前面カバー１１’の上部において、カバー表面に接触する。こうして、フック係止部材６’は、ストラップ巻取り器が連結金具７によって胴ベルトに連結された状態でストラップ巻取りドラム３の回転軸２に直角な方向に見たときに、上向きに開いた鉤状断面を有する。
【００２５】
この実施例では、前面カバー１１’および後面カバー１２’が組み合わされて、フレーム１に支持、固定されたケーシングを形成し、このケーシング内にストラップ巻取りドラム３がフレーム１の一部とともに収容されるとともに、ケーシングにはストラップ出入口（図示されない）が形成される。
【００２６】
この実施例においても、フック係止部材６’がフレーム１に取り付けられるので、フック５の引っ掛けおよび取り外しが繰り返されても、ストラップ巻取り器が容易に壊れてしまうことがない。
図４の実施例では、フック係止部材６’をストラップ巻取り器の正面カバー側に配置したが、図５に示すように、フック係止部材６’をストラップ巻取り器の後面カバー側に配置することもできる。
【図面の簡単な説明】
【００２７】
【図１】本考案の１実施例による墜落防止用安全帯のストラップ巻取り器の分解斜視図である。
【図２】図１のストラップ巻取り器を示す図であり、（Ａ）は正面図であり、（Ｂ）は側面図である。
【図３】図１のストラップ巻取り器が胴ベルトに連結され、作業者に装着された状態を示す図である。
【図４】本考案の別の実施例による墜落防止用安全帯のストラップ巻取り器を示す図であり、（Ａ）は正面図であり、（Ｂ）は側面図であり、（Ｃ）はフック係止部材の斜視図である。
【図５】本考案のさらに別の実施例による墜落防止用安全帯のストラップ巻取り器を示す図であり、（Ａ）は後面図であり、（Ｂ）は側面図である。
【符号の説明】
【００２８】
１  フレーム
１ａ、１ｂ  側板
１ｃ  連結部材
１ｄ  貫通穴
２  回転軸
３  ストラップ巻取りドラム
４  ストラップ
５  フック
６  フック係止部材
６ａ  脚部分
６ｂ  接続部分
６ｃ  拡張部
６ｄ  第２の脚部分
６ｅ  第２の接続部分
６ｆ  貫通穴
７  連結金具
８  連結ピン
９  基板
１０  渦巻きバネ
１１  前面カバー
１２  後面カバー
１３、１４  ネジ
１５  ショックアブソーバー
１６  胴ベルト
１７  Ｄ環
１８  工具袋
１９  巻尺
２０  作業者
【図１】
0003145096.tif 000003
【図２】
0003145096.tif 000004
【図３】
0003145096.tif 000005
【図４】
0003145096.tif 000006
【図５】
0003145096.tif 000007